(57)【特許請求の範囲】
【請求項１】
暗箱基部に形成された開放絞り開口と、
この開放絞り開口の前に位置して開放絞り開口を遮蔽する初期位置と開放絞り開口の前から退避して開放絞り開口を露呈する退避位置との間で回動自在に設けられ、前記初期位置に復帰する方向に付勢されたシャッタ羽根と、
前記開放絞り開口よりも径が小さい小絞り開口が形成され、前記開放絞り開口の前に位置して小絞り開口を構成する初期位置と開放絞り開口の前から退避して開放絞り開口を露呈する退避位置との間で回動自在に設けられ、前記初期位置に復帰する方向に付勢された小絞り板と、
レリーズ操作に応答して一方向に移動し、前記小絞り板を初期位置に残したままシャッタ羽根の一部を蹴飛ばしてシャッタ羽根を初期位置から退避位置へ回動させて小絞り板の小絞り開口による露光を行い、この直後に、前記小絞り板の一部を蹴飛ばして小絞り板を初期位置から退避位置へ回動させて開放絞り開口による露光を行う蹴飛ばし部材と、
からなることを特徴とするシャッタ装置。
【請求項２】
前記開放絞り開口による露光が行われた後、前記小絞り板は、シャッタ羽根と一緒に重なるようにして、前記小絞り開口がシャッタ羽根により塞がれた状態を保ちながら、前記開放絞り開口を閉じる閉じ位置に復帰することを特徴とする請求項１記載のシャッタ装置。
【請求項３】
前記小絞り開口による露光を行っている間に前記シャッタ羽根によってオンされるストロボ発光用のシンクロスイッチを設けたことを特徴とする請求項１または２いずれか記載のシャッタ装置。
【請求項４】
前記請求項１ないし３いずれか記載のシャッタ装置を用いたことを特徴とするカメラ。
【請求項５】
前記小絞り開口及び開放絞り開口をＦ１０以下及びＦ８以上に設定するとともに、撮影レンズのピントセット位置を５ｍ以遠とすることを特徴とする請求項４記載のカメラ。
【発明の詳細な説明】
【０００１】
【発明の属する技術分野】
本発明は、ソフトフォーカス撮影を行うシャッタ装置及びこれを用いたカメラに関するものである。
【０００２】
【従来の技術】
写真フイルムは交換可能であるが、ピント調節機構や露出調節機構を省略して安価に提供される簡易なカメラが市販されている。また、製造時に予め写真フイルムが装填されており、巻き戻し操作や写真フイルムパトローネの取り出しという面倒な操作を行うことなく、撮影終了後にそのまま現像取扱店に提出すれば、現像済みの写真フイルムとプリント写真とを受け取ることができる１回のみ使用可能な安価なカメラであるレンズ付きフイルムユニットが市販されている。
【０００３】
このようなカメラは、徹底した構造の簡単化、低コスト化が図られている。具体的には、撮影レンズは１個又は２個のレンズからなる簡易な固定焦点レンズであり、またシャッタ装置は、いわゆる蹴飛ばし式のシャッタ装置である。蹴飛ばし式シャッタは、回動式のシャッタ羽根を復帰バネで閉じ位置に付勢し、これを付勢方向と反対の方向に蹴飛ばすことでシャッタ羽根を往復回動させて、シャッタの開閉を行うものである。
【０００４】
一方、ポートレート撮影の方法の１つにソフトフォーカス撮影があり、一般のカメラでこれを行うには、撮影レンズの前部にソフトフォーカス専用のフィルタを装着する。これにより、撮影レンズに入射する光がわずかに乱反射して被写体の輪郭が少しハレーションを起こしたように白っぽくボケてソフトな印象のポートレート写真を得ることができる。
【０００５】
【発明が解決しようとする課題】
上述したソフトフォーカス専用のフィルタを用いるポートレート撮影では、ピント調節ができる一般のカメラでは好結果を得るが、ピント調節ができない固定焦点式の撮影レンズを用いた簡易なカメラでは、ピントのずれによるボケが重なり、きれいなボケにならないという問題点がある。
【０００６】
本発明は、上述したような問題点を解決するためになされたもので、簡易な撮影レンズでもポートレート撮影に好適なソフトフォーカス撮影を行うことができるシャッタ装置及びこれを用いたカメラを提供することを目的とする。
【０００７】
【課題を解決するための手段】
上記目的を達成するために、本発明のシャッタ装置は、暗箱基部に形成された開放絞り開口と、この開放絞り開口の前に位置して開放絞り開口を遮蔽する初期位置と開放絞り開口の前から退避して開放絞り開口を露呈する退避位置との間で回動自在に設けられ、前記初期位置に復帰する方向に付勢されたシャッタ羽根と、前記開放絞り開口よりも径が小さい小絞り開口が形成され、前記開放絞り開口の前に位置して小絞り開口を構成する初期位置と開放絞り開口の前から退避して開放絞り開口を露呈する退避位置との間で回動自在に設けられ、前記初期位置に復帰する方向に付勢された小絞り板と、レリーズ操作に応答して一方向に移動し、前記小絞り板を初期位置に残したままシャッタ羽根の一部を蹴飛ばしてシャッタ羽根を初期位置から退避位置へ回動させて小絞り板の小絞り開口による露光を行い、この直後に、前記小絞り板の一部を蹴飛ばして小絞り板を初期位置から退避位置へ回動させて開放絞り開口による露光を行う蹴飛ばし部材とからなるものである。また、前記開放絞り開口による露光が行われた後、前記小絞り板はシャッタ羽根と一緒に重なるようにして、前記小絞り開口がシャッタ羽根により塞がれた状態を保ちながら、前記開放絞り開口を閉じる閉じ位置に復帰するものである。また、前記小絞り開口による露光を行っている間に前記シャッタ羽根によってオンされるストロボ発光用のシンクロスイッチを設けたものである。
【０００８】
本発明のカメラは、前記シャッタ装置を用いたものである。また、前記小絞り開口及び開放絞り開口をＦ１０以下及びＦ８以上に設定するとともに、撮影レンズのピントセット位置を５ｍ以遠とするものである。
【０００９】
【発明の実施の形態】
図１に示すように、本発明を実施したレンズ付きフイルムユニット１０の前面には、ファインダ対物窓１１と、撮影レンズ１２を露呈する撮影窓１３とが設けられている。この撮影窓１３の脇には、長孔１４に沿ってほぼ左右（正確には右上がりに傾斜している）にスライド移動させることにより、ソフトフォーカス撮影モード（Ｓ）とノーマル撮影モード（Ｎ）とを選択できる切換ノブ１５が設けられている。
【００１０】
切換ノブ１５の側方には、ストロボスイッチ１６が取り付けられており、その上方には、ストロボ発光窓１７が設けられている。ストロボスイッチ１６は、ストロボ充電をオンする位置とオフする位置との２位置間でスライド自在に取り付けられている。なお、前記撮影レンズ１２は、焦点距離ｆが３２ｍｍで、ピント位置がフイルム面から６ｍに固定してある。
【００１１】
レンズ付きフイルムユニット１０の上面にはシャッタボタン１８，フイルムカウンタ窓１９，ストロボ充電完了表示窓２１が形成されており、その背面には、巻き上げノブ２２と、ファインダ接眼窓（図３の符号２３参照）とが設けられている。
【００１２】
図２に示すように、レンズ付きフイルムユニット１０は、中央に露光部２６及びストロボ装置２７が設けられた本体基部２９と、その前後に被せられる前カバー３１及び後カバー３２とから構成されるユニット本体と、カートリッジ３３及びカートリッジ３３から引き出してロール形態にした写真フイルム３４とからなる。なお、本実施形態では、写真フイルム３４のフイルム感度はＩＳＯ４００とする。
【００１３】
カートリッジ３３及び写真フイルム３４は、本体基部２９に形成されたカートリッジ収納室２９ａ，フイルム収納室２９ｂにそれぞれレンズ付きフイルムユニット１０の製造時点で予め組み込まれる。後カバー３２の下方には、カートリッジ収納室２９ａ，フイルム収納室２９ｂの底部開口を光密に覆う底蓋３２ａ，３２ｂが一体に形成されている。底蓋３２ａは、撮影済みの写真フイルム３４が巻き込まれたカートリッジ３３を取り出すときに開放される。
【００１４】
巻き上げノブ２２は、カートリッジ収納室２９ａの上部に取り付けられており、その下面に一体に形成された巻上げ軸がカートリッジ３３のスプールに係合する。撮影ごとに巻上げノブ２２を回動操作することによって、撮影済みの写真フイルム３４は１コマ分ずつカートリッジ３３に巻き込まれる。このフイルム１コマ巻上げに連動して露光部２６に組み込まれたシャッタ機構が次回の撮影のためにチャージされ、またフイルム１コマ給送が完了すると露光部２６に組み込まれたロックレバーによって巻上げノブ２２の回動がロックされる。
【００１５】
露光部２６の上方には、シャッタ機構及び巻き上げ機構の他、ファインダ機構が組み付けられている。また、露光部２６の背面には、露光枠が形成されており、撮影位置に送られてきた写真フイルム３４の前面で１コマ分の露光範囲を制限する。
【００１６】
ストロボ装置２７は、メインコンデンサ３６，シンクロコード３７，昇圧コイルなどの回路部品を取り付けた回路基板３８と、ストロボ放電管やリフレクタ等を含む発光部３９と、電源電池４１（図３参照）とからなる。回路基板３８には、回路パターンがプリントされるとともに、各種回路素子が取り付けられてストロボ回路が形成されている。回路基板３８の前面には、一対の接片４２が設けられている。前記シンクロコード３７は、露光部２６に取り付けられたシンクロスイッチ４０に接続されている。このシンクロスイッチ４０は、わずかに離間して向かい合った一対の接片４０ａ，４０ｂ（図４参照）からなり、これらが接触（短絡）すると、シンクロスイッチ４０がオンになる。
【００１７】
回路基板３８の前面には、受け板４３を介してストロボスイッチ１６がスライド自在に取り付けられており、このストロボスイッチ１６の背面には、前記接片４２を導通させるための作動スイッチが取り付けられている。ストロボスイッチ１６をオン位置にスライドすると、この作動スイッチが各接片４２間を導通させてストロボ充電が開始される。
【００１８】
図３に示すように、露光部２６は、本体基部２９の前方に向かって角筒状に突出して形成された暗箱基部４８がベースとなっており、その前面にＦ５．６の開放絞り開口４８ａが形成されている。暗箱基部４８の前方には、シャッタ羽根５１，小絞り板５２が開放絞り開口４８ａの前で重なるようにして回動自在に設けられており、開放絞り開口４８ａを遮蔽している。これらは、撮影レンズ１２が設けられたシャッタカバー５４によって覆われる。
【００１９】
前記シャッタ羽根５１は、暗箱基部４８の前面に設けられた軸５５に回動自在に取り付けられ、復帰バネ５６によって正面から見て反時計方向に逆転させるように付勢されている。そして、シャッタ羽根５１の反時計方向への回動範囲を規制してシャッタ羽根５１を初期位置に停止させるストッパピン５７が開放絞り開口４８ａの右方に設けられている。この初期位置では、シャッタ羽根５１は開放絞り開口４８ａを閉じている。また、シャッタ羽根５１の図面左方には、シャッタ羽根５１の正転側の回動範囲を規制するストッパ５９が設けられている。また、シャッタ羽根５１には、ストッパ５９側の縁に沿って突条部５１ａが形成されている。
【００２０】
前記小絞り板５２は、前記軸５５とほぼ並列して暗箱基部４８の前面に設けられた軸６１に回動自在に取り付けられ、正面から見て反時計方向に逆転させるように、復帰バネ６３により付勢されている。開放絞り開口４８ａの右方には、細長い棒状の切換ノブ１５の端部１５ａが位置しており、これに小絞り板５２が当接することにより、小絞り板５２の反時計方向への回動範囲を規制し、小絞り板５２を初期位置に停止させる。前記小絞り板５２の端部には、開放絞り開口４８ａよりＦ値が小さいＦ１１の小絞り開口５２ａが形成されている。この小絞り開口５２ａは、小絞り板５２が初期位置にある時に開放絞り開口４８ａの中央部と相対する位置に形成されている。
【００２１】
シャッタ羽根５１は、レリーズ操作により、その上部に設けられた被蹴飛ばし部５１ｂが蹴飛ばしレバー５８によって蹴飛ばされて、復帰バネ５６の付勢に抗して時計方向に正転する。これにより、開放絞り開口４８ａを遮蔽していたシャッタ羽根５１が開放絞り開口４８ａの前から退避され、開放絞り開口４８ａの前には小絞り板５２が残る。小絞り板５２には、開放絞り開口４８ａの中央部に相対する位置に小絞り開口５２ａが形成されているから、撮影絞りがＦ１１の小絞りになる。シャッタ羽根５１は、正転が終了する終了位置に達すると、ストッパ５９に当接し、復帰バネ５６の付勢によって初期位置に向かって逆転を開始する。
【００２２】
蹴飛ばしレバー５８は、シャッタ羽根５１の被蹴飛ばし部５１ｂを蹴飛ばして被蹴飛ばし部５１ｂから離れた直後に、小絞り板５２の上部に設けられた被蹴飛ばし部５２ｂを蹴飛ばす。これにより、小絞り板５２が時計方向に回動し、開放絞り開口４８ａの全体が露呈され、Ｆ５．６による露光が行われる。この後、小絞り板５２の縁がシャッタ羽根５１の突条部５１ａに当接し、復帰バネ６３の付勢によって反時計方向に逆転する。この時、小絞り板５２は突条部５１ａに押され、シャッタ羽根５１と一緒に重なるようにして初期位置に戻り、開放絞り開口４８ａが閉じられる。
【００２３】
切換ノブ１５は、シャッタカバー５４に形成された長孔５４ａに沿って移動自在となっており、切換ノブ１５を撮影レンズ１２から離れた長孔５４ａの一端部まで移動させると、切換ノブ１５の端部１５ａは仮想線で示す位置１５ｂまで移動し、復帰バネ６３の付勢により小絞り板５２の初期位置が開放絞り開口４８ａの前から外れた位置へ移動する。これにより、小絞り板５２の被蹴飛ばし部５２ｂが蹴飛ばしレバー５８の軌道から退避され、被蹴飛ばし部５２ｂが蹴飛ばしレバー５８によって蹴飛ばされることがなくなるため、小絞り板５２は回動されず、シャッタ羽根５１のみが回動して開放絞り開口４８ａを開閉する通常の撮影が行われるようになる。
【００２４】
暗箱基部４８の前部下方には、シャッタ羽根５１の全開時にシャッタ羽根５１に押されてオンにされる前記シンクロスイッチ４０が設けられている。このシンクロスイッチ４０は、上述のようにシンクロコード３７によって回路基板３８に接続されている。
【００２５】
次に、上記構成の作用について図４及び図５を参照しながら説明する。本発明を実施したレンズ付きフイルムユニット１０は、切換ノブ１５を左右にスライド移動させることにより、ソフトフォーカス撮影モード（Ｓ），ノーマル撮影モード（Ｎ）のいずれか一方を選択できる。ここでは、切換ノブ１５を左端のマークＳに合わせてセットしてソフトフォーカス撮影モードを選択する。この場合、晴天時の順光撮影の場合を除いて、夜間や室内などで撮影する場合に限らず、ストロボ撮影を前提とする。したがって、撮影を開始する前に、まず、ストロボスイッチ１６をオン位置にスライドしてストロボ充電を開始する。
【００２６】
次に、巻き上げノブ２２を回動すると、写真フイルム３４が１コマ分巻き上げられて露光枠にセットされる。この巻き上げ時にシャッタチャージが行われ、それとともに巻き上げノブ２２の回動がロックされる。この状態では、図４（Ａ）に示すように、復帰バネ５６の付勢によりシャッタ羽根５１がストッパピン５７に当接して開放絞り開口４８ａを閉じた状態になっている。また、小絞り板５２は、復帰バネ６３の付勢により切換ノブ１５の端部１５ａに当接している。
【００２７】
被写体距離が約３ｍとなるようにフレーミングした後、シャッタボタン１８を押し下げる。これにより、蹴飛ばしレバー５８が被蹴飛ばし部５１ｂを蹴飛ばし、シャッタ羽根５１が復帰バネ５６の付勢に抗して時計方向に正転を開始する。この正転により、シャッタ羽根５１が開放絞り開口４８ａの外側に退避されるが、開放絞り開口４８ａの前には、小絞り板５２がそのまま残っているから、小絞り板５２の小絞り開口５２ａが開放絞り開口４８ａの中央部に配置された状態になる。これにより、Ｆ１１で写真フイルム３４に露光が行われる（図４（Ｂ）参照）。この露光では、ピント位置が６ｍに設定された撮影レンズ１２の被写体距離３ｍにおける錯乱円直径が約０．０１５ｍｍ程度になるから、被写体はほぼシャープに露光される。
【００２８】
図４（Ｂ）に示すように、シャッタ羽根５１の正転が終了する終了位置に達する直前に、シャッタ羽根５１が接片４０ａを接片４０ｂに押しつけ、シンクロスイッチ４０をオンにする。ストロボ発光部３９からストロボ光が発光する。この発光タイミングを図５の稲妻マークαで示す。なお、ハッチングβは、写真フイルム３４への露光量を示す。
【００２９】
この後、図４（Ｃ）に示すように、蹴飛ばしレバー５８が被蹴飛ばし部５１ｂを蹴飛ばした直後に続けて被蹴飛ばし部５２ｂを蹴飛ばし、小絞り板５２が時計方向に正転して、開放絞り開口４８ａが開放され、Ｆ５．６による露光が行われる。この露光では、ピント位置が６ｍに設定された撮影レンズ１２の被写体距離３ｍにおける錯乱円直径が約０．０３ｍｍ程度になるから、被写体はややボケた状態で露光される。
【００３０】
この後、小絞り板５２がシャッタ羽根５１の突条部５１ａに当接し、復帰バネ６３の付勢により逆転を開始する。また、シャッタ羽根５１も復帰バネ５６の付勢により逆転を開始して、突条部５１ａが小絞り板５２を押すようにしてシャッタ羽根５１と小絞り板５２とが一緒に初期位置に戻る（図４（Ｄ）参照）。したがって、ソフトフォーカス撮影モードでは、Ｆ１１とＦ５．６との２段階で露光が行われる。
【００３１】
図５に示すように、Ｆ１１における平均露光時間ｔ１は、シャッタ羽根５１が小絞り開口５２ａを開き始める露光開始点Ｐ１から小絞り開口５２ａが全開状態になるＦ１１の始点Ｑ１に至る上り坂７１の中点Ｓ１を起点とし、シャッタ羽根５１及び小絞り板５２が逆転し、Ｆ５．６の終点Ｒ１から開放絞り開口４８ａが閉じられる露光終了位置Ｐ２に至る下り坂７２の前記中点Ｓ１と平行な点Ｓ２を終点とする時間である。すなわち、本実施形態では、Ｆ１１における平均露光時間ｔ１は約１／６０秒とする。
【００３２】
Ｆ５．６における平均露光時間ｔ２は、Ｆ１１の終点Ｑ２から下り坂７２の中点Ｓ３に至る時間であり、本実施形態では、約１／８０秒とする。また、全体の平均露光時間ｔ３は、Ｆ１１における中間点Ｓ４から中点Ｓ３に至る時間であり、本実施形態では、約１／５０秒とする。
【００３３】
このように、Ｆ１１の小絞り開口５２ａによるシャープな画像と、Ｆ５．６の開放絞り開口４８ａでのややボケた画像とが重ね合わされて露光されるから、ポートレート撮影に好適な、芯があってかつ柔らかな撮影画像を得ることができる。なお、撮影環境としては、ストロボ効果のある夕方や曇り日での撮影が適している。晴天時に撮影を行う場合には、ストロボ効果がある逆光又は半逆光で撮影を行うのがよい。
【００３４】
切換ノブ１５を長孔５４ａに沿ってスライド移動させてマークＮに合わせ、ノーマル撮影モードを選択すると、図６に示すように、切換ノブ１５の端部１５ａ（仮想線）が位置１５ｂ（実線）に移動する（図３では、端部１５ａを実線，位置１５ｂを仮想線で表している）。これにより、復帰バネ６３の付勢力により小絞り板５２の初期位置が開放絞り開口４８ａの前から外れた位置へ回動する。この状態では、被蹴飛ばし部５２ｂは、蹴飛ばしレバー５８の軌道上から退避される。
【００３５】
シャッタボタン１８を押し下げると、蹴飛ばしレバー５８が図面の右方へ移動し、シャッタ羽根５１の被蹴飛ばし部５１ｂを蹴飛ばしてシャッタ羽根５１を時計方向へ回動させる。開放絞り開口４８ａの前方から小絞り板５２が退避されているから、シャッタ羽根５１は開放絞り開口４８ａを開閉し、Ｆ５．６による通常の撮影が行われる。この時、蹴飛ばしレバー５８は１枚のシャッタ羽根５１のみを蹴飛ばすので、蹴飛ばしレバー５８にかかる負荷は少なく、露光時間すなわちシャッタ速度は、約１／１００秒となる。なお、このノーマル撮影モードに際しては、Ｆ５．６による撮影となるため、被写体距離をレンズ付きフイルムユニット１０のピント位置である６ｍにほぼ合わせて撮影を行うのが好ましい。
【００３６】
以上説明した実施形態では、撮影レンズの焦点距離ｆを３２ｍｍとしたが、例えば５０ｍｍとしてもよい。この場合には、ポートレート撮影では、一般に４〜４．５ｍ程度で撮影を行うことが多い。したがって、上記実施形態と同様に、撮影レンズのピント位置を６ｍとすると、被写体距離４．３ｍにおける錯乱円直径は、Ｆ１１で約０．０１５ｍｍ，Ｆ５．６で約０．０３ｍｍとなって、上記実施形態と同様の撮影結果を得る。また、本発明は、小絞りで画像がシャープに露光され、開放絞りで画像がややボケで露光されれば、撮影レンズのピント位置が６ｍに限定されないのは、勿論である。
【００３７】
上記実施形態では、開放絞りをＦ５．６，小絞りをＦ１１としたが、本発明はこれに限定されず、例えば開放絞りがＦ８以上に大きく、小絞りがＦ１０より小さければ、任意の絞り値を選択できる。また、小絞りでの平均露光時間を約１／６０秒，開放絞りでの平均露光時間を約１／８０秒とし、全体の平均露光時間を１／５０秒としたが、本発明はこれに限定されず、更に高感度な写真フイルム（例えばＩＳＯ８００やＩＳＯ１６００）を用いて、例えば小絞りでの平均露光時間を約１／８０秒，開放絞りでの平均露光時間を約１／１００秒で全体の平均露光時間を約１／７０秒としてもよい。
【００３８】
上記実施形態では、シャッタ羽根の縁に沿って突条部を設けたが、本発明はこれに限定されず、例えばピンのような形状をした突部でもよい。
【００３９】
上記実施形態は、レンズ付きフイルムユニットであったが、本発明はこれに限定されず、写真フイルムは交換できるが、ピント調節機構や露出調節機構を省略した簡易なカメラでもよい。また、ピント調節機構を備えているコンパクトカメラでも、本発明のシャッタ装置を有し、所定の撮影距離，例えば６ｍにセットしたまま撮影を行えば、本発明に係るソフトフォーカス撮影の効果を得ることができる。
【００４０】
【発明の効果】
以上詳細に説明したように、本発明のシャッタ装置は、レリーズ操作に応答して蹴飛ばし部材が一方向に移動し、小絞り板を初期位置に残したままシャッタ羽根の一部を蹴飛ばしてシャッタ羽根を初期位置から退避位置へ回動させて小絞り開口による露光を行い、この直後に、小絞り板の一部を蹴飛ばして小絞り板を初期位置から退避位置へ回動させて開放絞り開口による露光を行うので、非常に簡単な構成でありながら、小絞り開口でのピントのシャープな露光と開放絞り開口でのややボケた露光とを重ね合わせて露光でき、ポートレート撮影に好適な良好なソフトフォーカス撮影を行うことができる。
【００４１】
また、開放絞り開口による露光が行われた後、小絞り板はシャッタ羽根と一緒に重なるようにして小絞り開口がシャッタ羽根により塞がれた状態を保ちながら開放絞り開口を閉じる閉じ位置に復帰するので、シャッタ羽根の戻りが小絞り板より遅くなって閉じ過程で小絞りによる露光が行われることがなく、小絞りでの露光が二度行われることが確実に防止できる。
【００４２】
また、小絞り開口による露光が行われている間にシャッタ羽根によってオンされるストロボ発光用のシンクロスイッチを設けたので、露光不足になりがちな小絞りでの露光が明るく、よりシャープに行われる。
【００４３】
本発明のカメラは、前記シャッタ装置を用いたから、簡単な構成でソフトフォーカス撮影を行うことができる。また、小絞り開口及び開放絞り開口をＦ１０以下及びＦ８以上に設定するとともに、撮影レンズのピントセット位置を５ｍ以遠としたので、簡単な構成でありながら、良好なソフトフォーカス撮影を行うことができる。
【図面の簡単な説明】
【図１】レンズ付きフイルムユニットの外観を示す斜視図である。
【図２】レンズ付きフイルムユニットの分解斜視図である。
【図３】露光部の分解斜視図である。
【図４】シャッタ羽根及び小絞り板の動作を示す説明図である。
【図５】シャッタ羽根の開閉による写真フイルムへの露光量の変化を示すグラフである。
【図６】小絞り板の初期位置を変更してソフトフォーカス撮影と通常撮影とを切り換える構成を示す説明図である。
【符号の説明】
１０  レンズ付きフイルムユニット
１２  撮影レンズ
１５  切換ノブ
２６  露光部
４０  シンクロスイッチ
４８ａ  開放絞り開口
５１  シャッタ羽根
５１ａ  突条部
５２  小絞り板
５２ａ  小絞り開口
５６，６３  復帰バネ
５８  蹴飛ばしレバー
【図１】
0003802404.tif 000002
【図２】
0003802404.tif 000003
【図３】
0003802404.tif 000004
【図４】
0003802404.tif 000005
【図５】
0003802404.tif 000006
【図６】
0003802404.tif 000007